(57)【要約】【課題】ユーザに必要な情報を提供する。【解決手段】情報提供システムは、ポスター１００に近づいた携帯端末２００を非接触ＩＣチップＲＷ１０２，１０３により検出し、検出した携帯端末２００が保持している端末ＩＤを送信するＲＷコントローラ１１０と、送信された端末ＩＤを受信した場合、該端末ＩＤに対応付けて予め登録されている店舗カテゴリ情報に基づいて、該店舗カテゴリに属する情報を、ポスター１００に表示されている施設内の店舗に関する情報から選択し、選択した情報を携帯端末２００に送信するコンテンツ配信サーバ３００と、を備え、携帯端末２００は、コンテンツ配信サーバ３００から送信されてくる情報を外部出力する。【選択図】図１
2008083935.tif 000002
【特許請求の範囲】
【請求項１】
携帯端末を掲示物に近づけた場合に、前記携帯端末に前記掲示物の掲示内容に関連する情報を外部出力させる情報提供システムにおいて、
前記掲示物に近づいた携帯端末を検出する検出手段と、
前記検出手段が検出した携帯端末が保持している端末識別情報を送信する送信手段と、
前記送信手段が送信した端末識別情報を受信した場合、該端末識別情報に対応付けて予め登録されているカテゴリ情報に基づいて、該カテゴリに属する情報を、前記掲示物の掲示内容に関連する種々の情報から選択する情報選択手段及び前記情報選択手段が選択した情報を前記携帯端末に送信する送信手段を備える情報管理サーバと、を備え、
前記携帯端末は、前記情報管理サーバから送信されてくる情報を外部出力することを特徴とする情報提供システム。
【請求項２】
前記掲示物の掲示内容は、複数の施設を表示する内容であり、前記施設は、カテゴリ分けが可能な複数の店舗からなり、前記携帯端末は、非接触ＩＣチップを搭載しており、前記検出手段及び送信手段は、前記複数の施設の表示に対応付けて前記掲示物に配置されるとともに、リーダライタ識別情報により識別される複数の非接触ＩＣチップリーダライタにおける処理を制御するリーダライタ制御手段であり、前記情報管理サーバは、前記非接触ＩＣチップリーダライタのリーダライタ識別情報と、該非接触ＩＣチップリーダライタが対応付けされている施設内の複数の店舗に関する情報とが対応付けて登録されるリーダライタ識別情報登録データベースを備えており、
前記非接触ＩＣチップリーダライタはそれぞれ、対応付けされている施設の表示に前記携帯端末が近づいたときに該携帯端末の非接触ＩＣチップとの通信を確立し、
前記リーダライタ制御手段は、前記非接触ＩＣチップリーダライタと前記携帯端末の非接触ＩＣチップとの通信が確立したときに、確立した非接触ＩＣチップリーダライタのリーダライタ識別情報及び前記携帯端末の端末識別情報を検出し、検出した前記リーダライタ識別情報及び前記携帯端末の識別情報を送信し、
前記情報管理サーバでは、前記リーダライタ制御手段が送信した前記リーダライタ識別情報及び前記端末識別情報を受信した場合、前記情報選択手段が、前記リーダライタ識別情報登録データベースを参照して、該リーダライタ識別情報に対応する施設内の複数の店舗に関する情報を選択するとともに、該端末識別情報に対応付けて予め登録されているカテゴリ情報に基づいて、該カテゴリに属する情報を、前記選択した施設内の複数の店舗に関する情報から選択することを特徴とする請求項１に記載の情報提供システム。
【請求項３】
前記携帯端末では、外部入力操作により入力されたカテゴリ情報を端末識別情報とともに前記情報管理サーバに送信し、前記情報管理サーバは、前記携帯端末が送信したカテゴリ情報と端末識別情報とが対応付けて登録される端末識別情報登録データベースを備えており、
前記情報選択手段は、前記送信手段が送信した端末識別情報を受信した場合、前記端末識別情報登録データベースを参照して、該端末識別情報に対応するカテゴリ情報を取得し、取得したカテゴリ情報に基づいて、該カテゴリに属する情報を、前記掲示物の掲示内容に関連する種々の情報から選択することを特徴とする請求項１又は２に記載の情報提供システム。
【請求項４】
前記掲示物に近づけた携帯端末を携帯端末間通信装置が検出したことに対応して、前記携帯端末において外部出力するための前記掲示物の掲示内容に関連する情報を前記携帯端末に送信する情報管理サーバにおいて、
前記携帯端末間通信装置は、検出した携帯端末の端末識別情報を送信しており、
前記携帯端末間通信装置が送信した前記端末識別情報を受信する受信手段と、
前記受信手段が受信した前記端末識別情報に対応付けて予め登録されているカテゴリ情報に基づいて、該カテゴリに属する情報を、前記掲示物の掲示内容に関連する種々の情報から選択する情報選択手段と、
前記情報選択手段が選択した情報を前記携帯端末に送信する送信手段と、
を備えることを特徴とする情報管理サーバ。
【請求項５】
前記掲示物の掲示内容は、複数の施設を表示する内容であり、前記施設は、カテゴリ分けが可能な複数の店舗からなり、前記携帯端末は、非接触ＩＣチップを搭載しており、前記携帯端末間通信装置は、前記複数の施設の表示に対応付けて前記掲示物に配置され、かつリーダライタ識別情報により識別される複数の非接触ＩＣチップリーダライタを備えて、前記携帯端末が近づいて該携帯端末の非接触ＩＣチップと前記非接触ＩＣチップリーダライタとの間で通信を確立しときに、通信が確立した非接触ＩＣチップリーダライタのリーダライタ識別情報及び前記携帯端末の端末識別情報を検出し、検出した前記リーダライタ識別情報及び前記携帯端末の識別情報を送信するものであり、
前記携帯端末の端末識別情報とカテゴリ情報とが対応付けされて登録される端末識別情報登録データベースと、
前記非接触ＩＣチップリーダライタのリーダライタ識別情報と、該非接触ＩＣチップリーダライタが対応付けされている施設内の複数の店舗に関する情報とが対応付けて登録されるリーダライタ識別情報登録データベースと、
前記端末識別情報登録データベースとリーダライタ識別情報登録データベースとを参照して、情報を選択する情報選択手段と、を備え、
前記情報選択手段は、前記受信手段が前記リーダライタ識別情報及び端末識別情報を受信した場合、前記リーダライタ識別情報登録データベースを参照して、該リーダライタ識別情報に対応する施設内の複数の店舗に関する情報を選択するとともに、前記端末識別情報登録データベースを参照して、該端末識別情報に対応するカテゴリ情報を取得し、取得したカテゴリ情報に基づいて、該カテゴリに属する情報を、前記選択した施設内の複数の店舗に関する情報から選択することを特徴とする請求項４に記載の情報管理サーバ。
【請求項６】
前記携帯端末では、外部入力操作により前記カテゴリ情報が入力されて、入力されたカテゴリ情報とともに端末識別情報を送信しており、
前記携帯端末から送信されてくる前記カテゴリ情報と端末識別情報とを対応付けて前記端末識別情報登録データベースに登録することを特徴とする請求項５に記載の情報管理サーバ。
【請求項７】
前記リーダライタ識別情報登録データベースは、前記非接触ＩＣチップリーダライタのリーダライタ識別情報と、該非接触ＩＣチップリーダライタが対応付けされている施設の識別情報とが対応付けて登録される第１登録データベースと、前記第１データベースに登録されている施設の識別情報と、該施設内においてカテゴリ分けされた複数の店舗に関する情報とが対応付けて登録される第２登録データベースとから構成されることを特徴とする請求項５又は６に記載の情報管理サーバ。
【請求項８】
非接触ＩＣチップを搭載するとともに、端末識別情報を保持している携帯端末が、複数の施設を表示する掲示物に近づいたことを非接触ＩＣチップリーダライタにより検出するものであり、その検出に対応して情報管理サーバが前記掲示物に掲示されている施設に関連する情報を前記携帯端末に送信し、前記携帯端末が前記掲示物に掲示されている施設に関連する情報を外部出力できるようにする携帯端末間通信装置であって、
前記複数の施設の表示に対応付けて前記掲示物に配置され、リーダライタ識別情報により識別される複数の非接触ＩＣチップリーダライタと、
前記複数の非接触ＩＣチップリーダライタにおける処理を制御するリーダライタ制御手段と、を備え、
前記複数の非接触ＩＣチップリーダライタのうちの一は、カテゴリ登録用の非接触ＩＣチップリーダライタであり、前記複数の非接触ＩＣチップリーダライタでそれ以外の非接触ＩＣチップリーダライタは、施設情報提供用の非接触ＩＣチップリーダライタであり、
前記リーダライタ制御手段は、前記複数の非接触ＩＣチップリーダライタのうちの何れかの非接触ＩＣチップリーダライタが非接触ＩＣチップ搭載の携帯端末との間で通信を確立した場合に、通信を確立した非接触ＩＣチップリーダライタのリーダライタ識別情報及び前記携帯端末の端末識別情報を検出して、検出したリーダライタ識別情報及び端末識別情報を対として送信しており、
前記情報管理サーバでは、受信した前記リーダライタ識別情報及び端末識別情報に基づいて、前記携帯端末において外部出力する前記掲示物に掲示されている施設に関連する情報を作成するともに、作成した情報を前記携帯端末に送信することを特徴とする携帯端末間通信装置。
【発明の詳細な説明】
【技術分野】
【０００１】
本発明は、掲示物に携帯端末を近づけた場合に、前記掲示物の掲示内容に関連する情報を前記携帯端末に外部出力させる情報提供システム並びに、その情報提供システムで使用される情報管理サーバ及び携帯端末間通信装置に関する。
【背景技術】
【０００２】
特許文献１に、非接触ＩＣチップリーダライタを用いたポスター（地図ポスター）に関する発明が開示されている。特許文献１には、複数の非接触ＩＣチップリーダライタをポスターの背面に配置しておき、ユーザが関心のある施設（対応するリーダライタが背面に配意されている）に対し非接触ＩＣチップ内蔵のＰＤＡ（Personal Digital Assistant）をかざしたとき、ＰＤＡにＢｌｕｅｔｏｏｔｈホストのアドレスを送信する。これにより、ＰＤＡとＢｌｕｅｔｏｏｔｈホストとは互いに通信を確立させ、ＰＤＡがＢｌｕｅｔｏｏｔｈを介して施設の詳細情報を受信している。
【特許文献１】特開２００３−８５６５９号公報
【発明の開示】
【発明が解決しようとする課題】
【０００３】
ところで、特許文献１の技術では、施設等に対応して予め決められた情報をＰＤＡを介してユーザに提供しているので、提供された情報がユーザにとって必要でない場合があったり、提供された情報にユーザが必要な情報が含まれていない場合があったりするといった課題がある。
このような課題に対して、ＰＤＡを介してユーザが必要だと思う情報を提供することも考えられる。しかし、この場合には、ＰＤＡが情報の取得（アクセス）に時間がかかったり、ＰＤＡで提供された情報をユーザが取捨選択したりしなければならない課題が発生する。
本発明の課題は、ユーザに必要な情報を提供することである。
【課題を解決するための手段】
【０００４】
前記問題を解決するために、請求項１に記載の情報提供システムは、携帯端末を掲示物に近づけた場合に、前記携帯端末に前記掲示物の掲示内容に関連する情報を外部出力させる情報提供システムにおいて、前記掲示物に近づいた携帯端末を検出する検出手段と、前記検出手段が検出した携帯端末が保持している端末識別情報を送信する送信手段と、前記送信手段が送信した端末識別情報を受信した場合、該端末識別情報に対応付けて予め登録されているカテゴリ情報に基づいて、該カテゴリに属する情報を、前記掲示物の掲示内容に関連する種々の情報から選択する情報選択手段及び前記情報選択手段が選択した情報を前記携帯端末に送信する送信手段を備える情報管理サーバと、を備え、前記携帯端末が、前記情報管理サーバから送信されてくる情報を外部出力することを特徴とする。
【０００５】
また、請求項２に記載の情報提供システムは、請求項１において、前記掲示物の掲示内容が、複数の施設を表示する内容であり、前記施設が、カテゴリ分けが可能な複数の店舗からなり、前記携帯端末が、非接触ＩＣチップを搭載しており、前記検出手段及び送信手段が、前記複数の施設の表示に対応付けて前記掲示物に配置されるとともに、リーダライタ識別情報により識別される複数の非接触ＩＣチップリーダライタにおける処理を制御するリーダライタ制御手段であり、前記情報管理サーバが、前記非接触ＩＣチップリーダライタのリーダライタ識別情報と、該非接触ＩＣチップリーダライタが対応付けされている施設内の複数の店舗に関する情報とが対応付けて登録されるリーダライタ識別情報登録データベースを備えており、前記非接触ＩＣチップリーダライタがそれぞれ、対応付けされている施設の表示に前記携帯端末が近づいたときに該携帯端末の非接触ＩＣチップとの通信を確立し、前記リーダライタ制御手段が、前記非接触ＩＣチップリーダライタと前記携帯端末の非接触ＩＣチップとの通信が確立したときに、確立した非接触ＩＣチップリーダライタのリーダライタ識別情報及び前記携帯端末の端末識別情報を検出し、検出した前記リーダライタ識別情報及び前記携帯端末の識別情報を送信し、前記情報管理サーバでは、前記リーダライタ制御手段が送信した前記リーダライタ識別情報及び前記端末識別情報を受信した場合、前記情報選択手段が、前記リーダライタ識別情報登録データベースを参照して、該リーダライタ識別情報に対応する施設内の複数の店舗に関する情報を選択するとともに、該端末識別情報に対応付けて予め登録されているカテゴリ情報に基づいて、該カテゴリに属する情報を、前記選択した施設内の複数の店舗に関する情報から選択することを特徴とする。
【０００６】
また、請求項３に記載の情報提供システムは、請求項１又は２において、前記携帯端末では、外部入力操作により入力されたカテゴリ情報を端末識別情報とともに前記情報管理サーバに送信し、前記情報管理サーバが、前記携帯端末が送信したカテゴリ情報と端末識別情報とが対応付けて登録される端末識別情報登録データベースを備えており、前記情報選択手段が、前記送信手段が送信した端末識別情報を受信した場合、前記端末識別情報登録データベースを参照して、該端末識別情報に対応するカテゴリ情報を取得し、取得したカテゴリ情報に基づいて、該カテゴリに属する情報を、前記掲示物の掲示内容に関連する種々の情報から選択することを特徴とする。
【０００７】
また、請求項４に記載の情報管理サーバは、前記掲示物に近づけた携帯端末を携帯端末間通信装置が検出したことに対応して、前記携帯端末において外部出力するための前記掲示物の掲示内容に関連する情報を前記携帯端末に送信する情報管理サーバにおいて、前記携帯端末間通信装置が、検出した携帯端末の端末識別情報を送信しており、前記携帯端末間通信装置が送信した前記端末識別情報を受信する受信手段と、前記受信手段が受信した前記端末識別情報に対応付けて予め登録されているカテゴリ情報に基づいて、該カテゴリに属する情報を、前記掲示物の掲示内容に関連する種々の情報から選択する情報選択手段と、前記情報選択手段が選択した情報を前記携帯端末に送信する送信手段と、を備えることを特徴とする。
【０００８】
また、請求項５に記載の情報管理サーバは、請求項４において、前記掲示物の掲示内容が、複数の施設を表示する内容であり、前記施設が、カテゴリ分けが可能な複数の店舗からなり、前記携帯端末が、非接触ＩＣチップを搭載しており、前記携帯端末間通信装置が、前記複数の施設の表示に対応付けて前記掲示物に配置され、かつリーダライタ識別情報により識別される複数の非接触ＩＣチップリーダライタを備えて、前記携帯端末が近づいて該携帯端末の非接触ＩＣチップと前記非接触ＩＣチップリーダライタとの間で通信を確立しときに、通信が確立した非接触ＩＣチップリーダライタのリーダライタ識別情報及び前記携帯端末の端末識別情報を検出し、検出した前記リーダライタ識別情報及び前記携帯端末の識別情報を送信するものであり、前記携帯端末の端末識別情報とカテゴリ情報とが対応付けされて登録される端末識別情報登録データベースと、前記非接触ＩＣチップリーダライタのリーダライタ識別情報と、該非接触ＩＣチップリーダライタが対応付けされている施設内の複数の店舗に関する情報とが対応付けて登録されるリーダライタ識別情報登録データベースと、前記端末識別情報登録データベースとリーダライタ識別情報登録データベースとを参照して、情報を選択する情報選択手段と、を備え、前記情報選択手段が、前記受信手段が前記リーダライタ識別情報及び端末識別情報を受信した場合、前記リーダライタ識別情報登録データベースを参照して、該リーダライタ識別情報に対応する施設内の複数の店舗に関する情報を選択するとともに、前記端末識別情報登録データベースを参照して、該端末識別情報に対応するカテゴリ情報を取得し、取得したカテゴリ情報に基づいて、該カテゴリに属する情報を、前記選択した施設内の複数の店舗に関する情報から選択することを特徴とする。
【０００９】
また、請求項６に記載の情報管理サーバは、請求項５において、前記携帯端末では、外部入力操作により前記カテゴリ情報が入力されて、入力されたカテゴリ情報とともに端末識別情報を送信しており、前記携帯端末から送信されてくる前記カテゴリ情報と端末識別情報とを対応付けて前記端末識別情報登録データベースに登録することを特徴とする。
【００１０】
また、請求項７に記載の情報管理サーバは、請求項５又は６において、前記リーダライタ識別情報登録データベースが、前記非接触ＩＣチップリーダライタのリーダライタ識別情報と、該非接触ＩＣチップリーダライタが対応付けされている施設の識別情報とが対応付けて登録される第１登録データベースと、前記第１データベースに登録されている施設の識別情報と、該施設内においてカテゴリ分けされた複数の店舗に関する情報とが対応付けて登録される第２登録データベースとから構成されることを特徴とする。
【００１１】
また、請求項８に記載の携帯端末間通信装置は、請求項７において、非接触ＩＣチップを搭載するとともに、端末識別情報を保持している携帯端末が、複数の施設を表示する掲示物に近づいたことを非接触ＩＣチップリーダライタにより検出するものであり、その検出に対応して情報管理サーバが前記掲示物に掲示されている施設に関連する情報を前記携帯端末に送信し、前記携帯端末が前記掲示物に掲示されている施設に関連する情報を外部出力できるようにする携帯端末間通信装置であって、前記複数の施設の表示に対応付けて前記掲示物に配置され、リーダライタ識別情報により識別される複数の非接触ＩＣチップリーダライタと、前記複数の非接触ＩＣチップリーダライタにおける処理を制御するリーダライタ制御手段と、を備え、前記複数の非接触ＩＣチップリーダライタのうちの一が、カテゴリ登録用の非接触ＩＣチップリーダライタであり、前記複数の非接触ＩＣチップリーダライタでそれ以外の非接触ＩＣチップリーダライタが、施設情報提供用の非接触ＩＣチップリーダライタであり、前記リーダライタ制御手段が、前記複数の非接触ＩＣチップリーダライタのうちの何れかの非接触ＩＣチップリーダライタが非接触ＩＣチップ搭載の携帯端末との間で通信を確立した場合に、通信を確立した非接触ＩＣチップリーダライタのリーダライタ識別情報及び前記携帯端末の端末識別情報を検出して、検出したリーダライタ識別情報及び端末識別情報を対として送信しており、前記情報管理サーバでは、受信した前記リーダライタ識別情報及び端末識別情報に基づいて、前記携帯端末において外部出力する前記掲示物に掲示されている施設に関連する情報を作成するともに、作成した情報を前記携帯端末に送信することを特徴とする。
【発明の効果】
【００１２】
本発明によれば、予め登録されているカテゴリ情報に基づいて、該カテゴリに属する情報を、携帯端末を掲示物に近づけた掲示物の掲示内容に関連する種々の情報から選択することで、ユーザに提供する情報が多くなってしまうのを防止でき、ユーザに必要な情報を提供することが可能になる。
また、本発明によれば、携帯端末でユーザが外部入力操作によりカテゴリ情報が入力可能になっているので、カテゴリ情報に基づいて選択された施設に関連する情報を、ユーザの好みに合致した情報にすることができる。
【発明を実施するための最良の形態】
【００１３】
本発明を実施するための最良の形態（以下、実施形態という。）を図面を参照しながら詳細に説明する。
（構成）
図１は、本発明を適用した情報提供システムの構成を示す。
図１に示すように、情報提供システムは、非接触ＩＣチップ搭載の携帯端末２００、非接触ＩＣチップＲＷ（リーダライタ）１０２、１０３により携帯端末２００との間で通信を行う携帯端末間通信装置（ＲＷシステム）１０１、及び携帯端末２００にコンテンツを配信するコンテンツ配信サーバ３００により構成される。携帯端末間通信装置１０１は、ＲＷコントローラ１１０を備えている。
【００１４】
（非接触ＩＣチップＲＷ１０２，１０３の構成）
非接触ＩＣチップＲＷ１０２，１０３は、ポスター１００の背面の所定箇所に配置されており、携帯端末２００に付属する非接触ＩＣチップとの間で情報を通信できるようになっている。非接触ＩＣチップＲＷ１０２，１０３は、例えば、認証可能な機能をもつ駅の改札、決済可能な機能をもつ決済用デバイス等を実現する非接触ＩＣカード技術で用いられている非接触ＩＣチップＲＷである。
ポスター１００は、例えば駅構内の地図の道案内板や、街中の施設案内図である。ポスター１００は、外見は通常のポスターで、このポスター１００には、施設及びその名称、並びに「店舗カテゴリ登録」の文字が表示されている。
【００１５】
このようなポスター１００上の表示に対応して、２つの非接触ＩＣチップＲＷ１０２，１０３うち、一の非接触ＩＣチップＲＷ１０２は、施設情報出力（施設情報要求）用とされており、他の非接触ＩＣチップＲＷ１０３は、店舗カテゴリ登録用とされている。施設情報出力用の非接触ＩＣチップＲＷ１０２は、ポスター１００上に表示されている各施設に対応して、ポスター１００の背面に配置されており、施設情報出力用の非接触ＩＣチップＲＷ１０３は、ポスター１００上に表示されている「店舗カテゴリ登録」の文字に対応して、ポスター１００の背面に配置されている。以下の説明では、非接触ＩＣチップＲＷを施設情報出力用と店舗カテゴリ登録用とで区別する必要がある場合には、施設情報出力用の非接触ＩＣチップＲＷ１０２を施設情報出力ＲＷ１０２と称し、店舗カテゴリ登録用の非接触ＩＣチップＲＷ１０３を店舗カテゴリ登録ＲＷ１０３と称す。
【００１６】
（ＲＷコントローラ１１０の構成）
ＲＷコントローラ１１０は、非接触ＩＣチップＲＷ１０２，１０３に関する処理を制御する。
図２は、ＲＷコントローラ１１０の構成例を示す。
図２に示すように、ＲＷコントローラ１１０は、端末ＩＤ読取部１１１、ＲＷ−ＩＤ取得部１１２、ＲＷ−ＩＤ判別部１１３、コンテンツＵＲＬ作成部１１４及びコンテンツＵＲＬ送信部１１５を備える。
【００１７】
図３は、ＲＷコントローラ１１０における処理手順を示す。この図３の示す処理手順に従い、前記図２に示すＲＷコントローラ１１０の各構成部分の処理内容を説明する。
図３に示すように、処理を開始すると、ステップＳ１において、端末ＩＤ読取部１１１は、ＩＣチップ搭載の携帯端末２００がかざされるのを待つ（携帯端末２００の非接触ＩＣチップを非接触ＩＣチップＲＷ１０２，１０３で読み取る（検出する）ことができたか否かを判定する）。ここで、非接触ＩＣチップＲＷ１０２，１０３のうちの何れかの非接触ＩＣチップＲＷに、ＩＣチップ搭載の携帯端末２００がかざされた場合、ステップＳ２に進む。このとき端末ＩＤ読取部１１１は、該携帯端末２００の端末ＩＤも取得する。
【００１８】
続いてステップＳ２において、ＲＷ−ＩＤ取得部１１２は、携帯端末２００から端末ＩＤを読み取った非接触ＩＣチップＲＷのＩＤ（ＲＷ  ＩＤ）を取得する。すなわち、携帯端末２００がかざされた施設の表示に対応する非接触ＩＣチップＲＷのＩＤ（ＲＷ  ＩＤ）を取得する。
続いてステップＳ３において、ＲＷ−ＩＤ判別部１１３は、前記ステップＳ２（ＲＷ−ＩＤ取得部１１２）で取得したＲＷ  ＩＤに基づいて、該非接触ＩＣチップＲＷが施設情報出力ＲＷ１０２及び店舗カテゴリ登録ＲＷ１０３の何れかであるかを判別する。ここで、店舗カテゴリ登録ＲＷ１０３の場合、ステップＳ４に進み、施設情報出力ＲＷ１０２の場合、ステップＳ６に進む。
【００１９】
続いてステップＳ４において、コンテンツＵＲＬ作成部１１４は、前記ステップＳ１（端末ＩＤ読取部１１１）で取得した端末ＩＤと、前記ステップＳ２（ＲＷ−ＩＤ取得部１１２）で取得したＲＷ  ＩＤ（店舗カテゴリ登録ＲＷ１０３のＩＤ）とが含まれるように、店舗カテゴリ登録用のＵＲＬを作成する。そして、ステップＳ５に進む。
【００２０】
一方、ステップＳ３で施設情報出力ＲＷ１０２の場合に進むステップＳ６では、コンテンツＵＲＬ作成部１１４は、前記ステップＳ１（端末ＩＤ読取部１１１）で取得した端末ＩＤと、前記ステップＳ２（ＲＷ−ＩＤ取得部１１２）で取得したＲＷ  ＩＤ（施設情報出力ＲＷ１０２のＩＤ）とが含まれるように、コンテンツのＵＲＬを作成する。ここで作成するコンテンツのＵＲＬは、コンテンツ配信サーバ３００からコンテンツ（施設情報）を取得するためのＵＲＬ、すなわち施設情報取得用（施設情報出力用）のコンテンツのＵＲＬである。そして、ステップＳ５に進む。
【００２１】
ステップＳ５では、コンテンツＵＲＬ送信部１１５は、前記ステップＳ４又はステップＳ６（コンテンツＵＲＬ作成部１１４）で作成したＵＲＬ（店舗カテゴリ登録用のＵＲＬ又は施設情報取得用のＵＲＬ）を非接触ＩＣチップＲＷ（具体的には、携帯端末２００の非接触ＩＣチップを読み取った非接触ＩＣチップＲＷ）を介して携帯端末２００に送信する。そして、当該図３に示すステップＳ１からの処理を再び開始する。
【００２２】
ＲＷコントローラ１１０は以上のような処理を行う。この例では、施設情報出力ＲＷ１０２（施設の数に応じた数の施設情報出力ＲＷ１０２）及び店舗カテゴリ登録ＲＷ１０３に対して１つのＲＷコントローラ１１０を備えているが、これに限定されるものではなく、施設情報出力ＲＷ１０２（施設の数に応じた数の施設情報出力ＲＷ１０２）及び店舗カテゴリ登録ＲＷ１０３それぞれに対応して、前述のような処理能力を有するＲＷコントローラ１１０を備えることもできる。この場合、例えば、ＲＷコントローラ１１０は、施設情報出力ＲＷ１０２（施設の数に応じた数の施設情報出力ＲＷ１０２）及び店舗カテゴリ登録ＲＷ１０３それぞれ固有のものとなるので、それに応じた処理内容になる。例えば、前記ステップＳ３に示す非接触ＩＣチップＲＷの判別処理が不要になる。
【００２３】
（携帯端末２００の構成）
携帯端末２００は、ユーザが所有するものであり、無線によるデータ通信機能が可能な端末である。また、携帯端末２００は、インターネット等のネットワークを介してコンテンツ配信サーバ３００と接続可能とされている。携帯端末２００としては、例えば携帯端末、ＰＨＳ（Personal Handyphone System）及び無線通信カードを備えたＰＤＡ（Personal Digital Assistant）等が挙げられる。そして、携帯端末２００は、非接触ＩＣチップを搭載している。
【００２４】
図４は、携帯端末２００の構成例を示す。
図４に示すように、携帯端末２００は、端末ＩＤ格納部２０１、データ送受信部２０２、コンテンツ取得部２０３、コンテンツ表示部２０４及び店舗カテゴリ登録部２０５を備える。
このような構成において、端末ＩＤ格納部２０１は、具体的には非接触ＩＣチップであり、該携帯端末２００のＩＤ（具体的には該非接触ＩＣチップのＩＤ）を格納している。データ送受信部２０２は、非接触ＩＣチップＲＷ１０２，１０３との間及びコンテンツ配信サーバ３００との間でデータの送受信に関する処理を行う。コンテンツ取得部２０３は、データ送受信部２０２が受信したコンテンツのＵＲＬにアクセスして、ネットワーク上からコンテンツを取得する。コンテンツ表示部２０４は、携帯端末２００における表示に関する処理を行う。店舗カテゴリ登録部２０５は、携帯端末２００において店舗カテゴリの登録画面を表示するとともに、登録画面でユーザが登録した店舗カテゴリ情報及び端末ＩＤにより、コンテンツ配信サーバ３００にアクセスする。
【００２５】
図５は、以上のような構成を有する携帯端末２００における処理手順を示す。
図５に示すように、処理を開始すると、データ送受信部２０２は、ポスター１００の非接触ＩＣチップＲＷ１０２，１０３を介してコンテンツのＵＲＬを受信したか否かを判定する。ここで、コンテンツのＵＲＬを受信した場合、ステップＳ１２に進む。ここでのコンテンツのＵＲＬは、施設情報取得用のＵＲＬ又は店舗カテゴリ登録用のＵＲＬである。
【００２６】
続いてステップＳ１２において、データ送受信部２０２は、前記ステップＳ１１で受信したコンテンツのＵＲＬが施設情報取得用のＵＲＬか否かを判定する。ここで、施設情報取得用のＵＲＬの場合、ステップＳ１３に進み、施設情報取得用のＵＲＬでない場合、すなわち、店舗カテゴリ登録用のＵＲＬの場合、ステップＳ１７に進む。
【００２７】
ステップＳ１３では、コンテンツ表示部２０４は、前記ステップＳ１１（データ送受信部２０２）で受信したコンテンツのＵＲＬ（施設情報取得用のＵＲＬ）に対応する画面表示（リンク先の表示）をする。ＩＣチップＲＷ１０２からは、コンテンツのＵＲＬ（施設情報取得用のＵＲＬ）の他に、ユーザが携帯端末２００でコンテンツの取得操作するための画面表示をするためのデータ（例えば、ＲＷコントローラ１１０において作成のデータ）も送信されてきており、コンテンツ表示部２０４は、ＩＣチップＲＷ１０２から送信されてきたデータに基づいて、コンテンツの取得操作をするための画面表示をする。
【００２８】
続いてステップＳ１４において、コンテンツ取得部２０３は、前記ステップＳ１３（コンテンツ表示部２０４）でコンテンツのＵＲＬを表示（コンテンツの取得操作をするための画面表示）したことに対応し、ユーザが携帯端末２００によりコンテンツの取得操作をしたか否か、例えばコンテンツへのリンクの表示部分をクリックしたか否かを判定する。
このステップＳ１４でユーザが携帯端末２００によりコンテンツの取得操作をするのを待ち、ユーザによりコンテンツの取得操作がなされた場合、ステップＳ１５に進む。
【００２９】
ステップＳ１５では、コンテンツ取得部２０３は、前記ステップＳ１５でユーザがコンテンツの取得操作をしたコンテンツのＵＲＬにアクセスする。具体的には、コンテンツ取得部２０３は、ネットワーク４００上のコンテンツ配信サーバ３００に対して、取得操作がなされたコンテンツのＵＲＬに含まれているＲＷ  ＩＤ（施設情報出力ＲＷ１０２のＩＤ）及び端末ＩＤを送信し、コンテンツ（施設情報）を取得する。
【００３０】
続いてステップＳ１６において、コンテンツ表示部２０４は、コンテンツ取得部２０３で取得したコンテンツ（施設情報）を携帯端末２００において表示する。そして、当該図５に示すステップＳ１１からの処理を再び開始する。
一方、前記ステップＳ１２で店舗カテゴリ登録用のＵＲＬと判定した場合に進むステップＳ１７では、店舗カテゴリ登録部２０５は、前記ステップＳ１１（データ送受信部２０２）で受信したＵＲＬ（店舗カテゴリ登録用のＵＲＬ）に対応する画面表示（リンク先の表示）をする。この表示処理をコンテンツ表示部２０４が行うこともできる。
【００３１】
続いてステップＳ１８において、店舗カテゴリ登録部２０５は、前記ステップＳ１７で店舗カテゴリを登録するための画面表示に対応し、ユーザが携帯端末２００により登録操作をしたか否かを判定する。このステップＳ１８でユーザが携帯端末２００により店舗カテゴリの登録操作をするのを待ち、ユーザにより店舗カテゴリの登録操作がなされた場合、ステップＳ１９に進む。
【００３２】
ステップＳ１９では、店舗カテゴリ登録部２０５は、前記ステップＳ１５でユーザが店舗カテゴリの登録操作をしたＵＲＬにアクセスする。具体的には、店舗カテゴリ登録部２０５は、ネットワーク４００上のコンテンツ配信サーバ３００に対して、ＵＲＬに含まれているＲＷ  ＩＤ（店舗カテゴリ登録ＲＷ１０３のＩＤ）及び端末ＩＤの他に、前記ステップＳ１８の登録操作で取得した店舗カテゴリ情報を送信する。そして、当該図５に示すステップＳ１１からの処理を再び開始する。
【００３３】
（コンテンツ配信サーバ３００の構成）
コンテンツ配信サーバ３００は、インターネット等のネットワーク４００上に配置されており、ポスター１００に対して行ったユーザからのコンテンツ取得要求（ユーザが携帯端末２００をポスター１００にかざした行為）に対応し、ユーザが指定した非接触ＩＣチップＲＷのＩＤを特定し、該当する施設に関する詳細情報を取得し、取得した詳細情報を携帯端末２００に配信する。
【００３４】
図６は、コンテンツ配信サーバ３００の構成例を示す。
図６に示すように、ユーザ要求店舗カテゴリ取得部３０１、コンテンツ取得要求受信部３０２、ユーザ指定ＲＷ−ＩＤ取得部３０３、端末ＩＤ取得部３０４、コンテンツ作成部３０５、コンテンツ送信部３０６、店舗カテゴリ登録部３０７、ユーザ指定店舗カテゴリ取得部３０８、ユーザ指定施設取得部３０９、施設情報取得部３１０、店舗カテゴリ登録ＤＢ（データベース）３２０、ＲＷ−施設対応ＤＢ３３０及び施設情報ＤＢ３４０を備える。
【００３５】
このような構成において、ユーザ要求店舗カテゴリ取得部３０１は、携帯端末２００を介してユーザから登録要求のあった店舗カテゴリ情報を取得する。例えば、店舗カテゴリとしては、「喫茶店」、「コンビニ」、「レストラン」、「ＡＴＭ」、「会社」、「本屋」及び「衣料品店」等が挙げられる。
店舗カテゴリ登録部３０７は、ユーザ要求店舗カテゴリ取得部３０１が取得した店舗カテゴリ情報を、該ユーザ所有の携帯端末２００の端末ＩＤ（同送の端末ＩＤ）とともに、店舗カテゴリ登録ＤＢ（サービス知識）ＤＢ３２０に登録する。
【００３６】
図７は、店舗カテゴリ登録ＤＢ３２０の構成例を示す。
図７に示すように、店舗カテゴリ登録ＤＢ３２０は、端末ＩＤと店舗カテゴリ情報との対応テーブルである。店舗カテゴリ情報は、携帯端末２００において、店舗カテゴリ登録ページから登録することで、該携帯端末２００の端末ＩＤに対応づけされて店舗カテゴリ登録ＤＢ３２０に登録される。この例では、携帯端末２００の端末ＩＤが１２３２２４２４であり、この端末ＩＤ＝１２３２２４２４に、店舗カテゴリ情報として、「レストラン」が対応付けされて登録されている。
【００３７】
端末ＩＤ取得部３０４は、店舗カテゴリの登録要求内に含まれている端末ＩＤ（店舗カテゴリ登録用のＵＲＬ内に含まれている端末ＩＤ）又はコンテンツ取得要求内に含まれる端末ＩＤ（施設情報取得用のコンテンツのＵＲＬ内に含まれる端末ＩＤ）を取得する。ユーザ指定店舗カテゴリ取得部３０８は、店舗カテゴリ登録ＤＢ３２０を参照し、端末ＩＤ取得部３０４が取得した端末ＩＤからユーザが指定した店舗カテゴリを取得する。コンテンツ取得要求受信部３０２は、携帯端末２００からコンテンツの取得要求を受信する。ユーザ指定ＲＷ−ＩＤ取得部３０３は、ユーザが指定した（携帯端末２００をかざした）非接触ＩＣチップＲＷのＩＤ（ＲＷ  ＩＤ）を取得する。ユーザ指定施設取得部３０９は、ＲＷ−施設対応ＤＢ（タスク知識ＤＢ）３３０を参照することで、ユーザ指定ＲＷ−ＩＤ取得部３０３が取得した非接触ＩＣチップＲＷのＩＤ（ＲＷ  ＩＤ）に基づいて、ポスター１００上でユーザが指定した（携帯端末２００をかざした）施設のＩＤ（施設ＩＤ）を取得する。
【００３８】
図８は、ＲＷ−施設対応ＤＢ３３０の構成例を示す。
図８に示すように、ＲＷ−施設対応ＤＢ３３０は、ポスター１００上に表示されている施設のＩＤ（施設ＩＤ）と、その施設の表示に対応してポスター１００の背面に配置されている非接触ＩＣチップＲＷのＩＤ（ＲＷ  ＩＤ）との対応テーブルである。この例では、ＲＷ  ＩＤ＝１，２，３に、施設ＩＤ＝１００，１０２，１０３がそれぞれ対応付けされている。
また、施設情報取得部３１０は、施設コンテンツＤＢ（デバイス知識ＤＢ）３４０を参照して、ユーザ指定施設取得部３０９が取得した施設ＩＤに対応する施設の情報（詳細情報）を取得する。コンテンツ作成部３０５は、施設情報取得部３１０が取得した施設情報からなるコンテンツを作成する。
【００３９】
図９は、施設情報ＤＢ３４０の構成例を示す。
図９に示すように、施設情報ＤＢ３４０は、各施設のＩＤと該施設のコンテンツ（コンテンツのＵＲＬ）との対応テーブルである。この例は、施設ＩＤ＝１００に関して、施設情報として、該施設内の各店舗のコンテンツのＵＲＬが登録されている。
そして、コンテンツ送信部３０６は、コンテンツ作成部３０５が作成したコンテンツ（コンテンツのＵＲＬ）を携帯端末２００に送信する。
【００４０】
図１０は、以上のような構成からなるコンテンツ配信サーバ３００の処理手順を示す。
図１０に示すように、処理を開始すると、コンテンツ取得要求受信部３０２は、ステップＳ２１において、携帯端末２００からのコンテンツ取得要求を待つ（コンテンツ取得要求を受信したか否かを判定する）。携帯端末２００からコンテンツ取得要求があった場合、ステップＳ２２に進む。
【００４１】
ステップＳ２２では、前記ステップＳ２１におけるコンテンツ取得要求が、店舗カテゴリの登録要求及び施設情報取得要求の何れかであるかを判別する。例えば、携帯端末２００から送信されてきたＲＷ  ＩＤが施設情報出力ＲＷ１０２のものか、それとも店舗カテゴリ登録ＲＷ１０３のものかを判別する。また、例えば、コンテンツ取得要求受信部３０２が判別処理を行う。ここで、コンテンツ取得要求が施設情報取得要求の場合（例えば、ＲＷ  ＩＤが施設情報出力ＲＷ１０２のＩＤの場合）、ステップＳ２３に進み、店舗カテゴリの登録要求の場合（例えば、ＲＷ  ＩＤが店舗カテゴリ登録ＲＷ１０３のＩＤ）、ステップＳ３２に進む。
【００４２】
ステップＳ２３では、ユーザ指定ＲＷ−ＩＤ取得部３０３は、コンテンツ取得要求内に含まれるＲＷ  ＩＤ（施設情報取得用のコンテンツのＵＲＬ内に含まれるＲＷ  ＩＤ）を取得する。
続いてステップＳ２４において、ユーザ指定施設取得部３０９は、ＲＷ−施設対応ＤＢ３３０を参照して、前記ステップＳ２３（ユーザ指定ＲＷ−ＩＤ取得部３０３）で取得したＲＷ  ＩＤに対応付けされている施設ＩＤを取得する。
続いてステップＳ２５において、端末ＩＤ取得部３０４は、コンテンツ取得要求内に含まれる端末ＩＤ（施設情報取得用のコンテンツのＵＲＬ内に含まれる端末ＩＤ）を取得する。
【００４３】
続いてステップＳ２６において、ユーザ指定店舗カテゴリ取得部３０８は、店舗カテゴリ登録ＤＢ３２０内に、前記ステップＳ２５（端末ＩＤ取得部３０４）で取得した端末ＩＤで登録された店舗カテゴリ情報が存在するか否かを判定する。ここで、店舗カテゴリ登録ＤＢ３２０内に、取得した端末ＩＤが存在するか否かを判定しても良い。このステップＳ２６において、店舗カテゴリ登録ＤＢ３２０内に、取得した端末ＩＤで登録された店舗カテゴリ情報が存在する場合、ステップＳ２７に進み、取得した端末ＩＤで登録された店舗カテゴリ情報が存在しない場合、ステップＳ２９に進む。
【００４４】
ステップＳ２７では、ユーザ指定店舗カテゴリ取得部３０８は、店舗カテゴリ登録ＤＢ３２０を参照して、端末ＩＤに対応付けされて登録されている店舗カテゴリ情報を取得する。
続いてステップＳ２８において、施設情報取得部３１０は、施設情報ＤＢ３４０を参照して、前記ステップＳ２４（ユーザ指定施設取得部３０９）で取得した施設ＩＤ、及び前記ステップＳ２７（ユーザ指定店舗カテゴリ取得部３０８）で取得した店舗カテゴリ情報を利用して、施設内において該店舗カテゴリを満たす店舗を絞りこむ（施設情報を取得する）。そして、ステップＳ３０に進む。
【００４５】
一方、ステップＳ２９では、施設情報取得部３１０は、施設情報ＤＢ３４０を参照して、前記ステップＳ２４（ユーザ指定施設取得部３０９）で取得した施設ＩＤに対応する施設情報を取得する。そして、ステップＳ３０に進む。
ステップＳ３０では、コンテンツ作成部３０５は、前記ステップＳ２８又はステップＳ２９（施設情報取得部３１０）で取得した施設情報からなるコンテンツを作成する。
【００４６】
続いてステップＳ３１において、コンテンツ送信部３０６は、前記ステップＳ３０（コンテンツ作成部３０５）で作成したコンテンツを携帯端末２００に送信する。そして、当該図１０に示すステップＳ２１からの処理を再び開始する。
一方、前記ステップＳ２２でコンテンツ取得要求が店舗カテゴリの登録要求の場合に進むステップＳ３２では、ユーザ要求店舗カテゴリ取得部３０１は、店舗カテゴリの登録要求内に含まれる店舗カテゴリ情報を取得する。
【００４７】
続いてステップＳ３３において、端末ＩＤ取得部３０４は、店舗カテゴリの登録要求内に含まれる端末ＩＤ（店舗カテゴリ登録用のＵＲＬ内に含まれている端末ＩＤ）を取得する。
続いてステップＳ３４において、店舗カテゴリ登録部３０７は、前記ステップＳ３２（ユーザ要求店舗カテゴリ取得部３０１）で取得した店舗カテゴリ情報と、前記ステップＳ３３（端末ＩＤ取得部３０４）で取得した端末ＩＤとを対応付けて、店舗カテゴリ登録ＤＢ３２０に登録する。そして、当該図１０に示すステップＳ２１からの処理を再び開始する。
【００４８】
（動作）
情報提供システムにおける一連の動作は次のようになる。
（１）店舗カテゴリを登録しない場合
店舗カテゴリを登録しない場合とは、ユーザがポスター１００上の施設の表示部分に携帯端末２００を近づける場合である。そのような、ユーザがポスター１００上の施設の表示部分に携帯端末２００を近づける動作により、該施設の表示部分に対応してポスター１００の背面に配置されている施設情報出力ＲＷ１０２が、携帯端末２００に実装されたＩＣチップを検知する。この検知により、ＲＷコントローラ１１０が、該施設情報出力ＲＷ１０２のＩＤ（例えば、１）と、携帯端末２００の端末ＩＤ（例えば、１２３２２４２４２）とを付加した施設情報取得用のＵＲＬを作成し、作成したＵＲＬを携帯端末２００に送信する。
【００４９】
これにより、ユーザの携帯端末２００には、コンテンツへのリンク先（ＵＲＬでは、例えば「http://***.shutoku/servlet?rw=1&fid=123224242」）が表示される。図１１は、そのときの携帯端末２００の表示部２０６への表示例を示す。
そして、携帯端末２００の表示部に表示されているコンテンツへのリンクの表示部分をユーザが選択、例えばクリックすることで、携帯端末２００がコンテンツ配信サーバ３００に接続される。
【００５０】
これにより、コンテンツ配信サーバ３００では、ＲＷ−施設対応ＤＢ３３０を参照して、コンテンツを取得するためのＵＲＬ内に含まれているＲＷ  ＩＤ（施設情報出力ＲＷ１０２のＩＤ）に対応付けされている施設ＩＤを取得する。そして、コンテンツ配信サーバ３００では、施設情報ＤＢ３４０を参照して、取得した施設ＩＤに対応付けされている施設情報を取得する。
【００５１】
例えば、ＲＷ−施設対応ＤＢ３３０の登録情報が図８のように構成され、施設情報ＤＢ３４０の登録情報が図９のように構成されている場合において、非接触ＩＣチップＲＷ１０２のＩＤが１のときには、対応する施設ＩＤは１００になる（図８参照）。これにより、コンテンツ配信サーバ３００では、施設情報ＤＢ３４０を参照して、施設ＩＤ＝１００に対応付けされている施設情報として、「sample1.html」「sample2.html」「sample3.html」「sample4.html」をコンテンツのＵＲＬとして取得する。
【００５２】
そして、コンテンツ配信サーバ３００は、取得した施設情報から携帯端末２００に配信するコンテンツを作成し、作成したコンテンツを携帯端末２００に配信する。これにより、携帯端末２００では、該携帯端末２００がかざされた施設の情報（詳細情報）を表示部に表示する。図１２は、そのときの携帯端末２００の表示部２０６への表示例を示す。
すなわち、図１３に示すように、ユーザがポスター１００上の施設の表示部分１０４に携帯端末２００を近づけると（同図中矢示Ａ１の動作）、コンテンツ配信サーバ３００から携帯端末２００にその施設に関する施設情報からなるコンテンツが配信され、携帯端末２００にコンテンツが表示される（同図中矢示Ａ２の流れ）。
【００５３】
（２）店舗カテゴリを登録する場合
店舗カテゴリを登録する場合とは、ユーザが、ポスター１００上の「店舗カテゴリ登録」の表示部分に携帯端末２００を近づける場合である。例えば、図１４に示すように、ポスター１００には、その縁部に「店舗カテゴリ登録」という文字１０５が表示されており、この「店舗カテゴリ登録」の表示部分に携帯端末２００を近づける場合である。
【００５４】
このようなユーザの動作により、「店舗カテゴリ登録」の表示部分に対応してポスター１００の背面に配置された店舗カテゴリ登録ＲＷ１０３が、携帯端末２００に搭載されたＩＣチップを検知する。この検知により、ＲＷコントローラ１１０が、店舗カテゴリ登録用のＵＲＬを携帯端末２００に送信する。店舗カテゴリ登録用のＵＲＬには、携帯端末２００の端末ＩＤ（ＩＣチップのＩＤ）が含まれている。
これにより、ユーザの携帯端末２００には、店舗カテゴリ登録用のコンテンツへのリンク先（ＵＲＬでは、例えば「http://***.touroku/servlet?rw=1&fid=123224242」）が表示される。
【００５５】
図１５は、そのときの携帯端末２００の表示部２０６に表示される店舗カテゴリ登録画面の一例を示す。この図１５に示す例によれば、「喫茶店」、「コンビニ」、「レストラン」、「ＡＴＭ」、「会社」、「本屋」及び「全て」の項目について、店頭カテゴリとして登録できる。なお、「全て」の項目は、該「全て」以外の他の店舗カテゴリ（「喫茶店」、「コンビニ」、「レストラン」、「ＡＴＭ」、「会社」、「本屋」）を意味していることになり、「全て」の項目を選択することは、店舗カテゴリを全て選択することになり、すなわち、実質的には店舗カテゴリの登録の解除となる。
【００５６】
そして、携帯端末２００の表示部に表示されている店舗カテゴリ登録画面上でユーザが店舗カテゴリを登録すると、その店舗カテゴリ情報が携帯端末２００からコンテンツ配信サーバ３００に送信される。コンテンツ配信サーバ３００では、該携帯端末２００の端末ＩＤと店舗カテゴリ情報とが対応付けされて店舗カテゴリ登録ＤＢ３２０に登録される。
【００５７】
その後、ユーザがポスター１００上の施設の表示部分に携帯端末２００を近づけた場合、該施設の表示部分に対応してポスター１００の背面に配置されている施設情報出力ＲＷ１０２が、携帯端末２００に実装されたＩＣチップを検知し、この検知により、ＲＷコントローラ１１０が、該施設情報出力ＲＷ１０２のＩＤと、携帯端末２００のＩＤ（例えば、１２３２２４２４２）とを付加した施設情報取得用のＵＲＬを作成し、作成したＵＲＬを携帯端末２００に送信する。
【００５８】
これにより、ユーザの携帯端末２００には、コンテンツへのリンク先（ＵＲＬでは、例えば「http://***.shutoku/servlet?rw=1&fid=123224242」）が表示される。そのときの携帯端末２００の表示部への表示は、例えば前記図１１と同様になる。
そして、ユーザが携帯端末２００の表示部に表示されているコンテンツへのリンクの表示部分を選択、例えばクリックすることで、携帯端末２００がコンテンツ配信サーバ３００に接続される。
【００５９】
今度は、コンテンツ配信サーバ３００では、ＲＷ−施設対応ＤＢ３３０を参照して、ＵＲＬ内に含まれているＲＷ  ＩＤ（施設情報出力ＲＷ１０２のＩＤ）に対応付けされている施設ＩＤを取得する。さらに、コンテンツ配信サーバ３００では、店舗カテゴリ登録ＤＢ３２０を参照して、端末ＩＤに対応付けされている店舗カテゴリ情報を取得する。そして、コンテンツ配信サーバ３００では、施設情報ＤＢ３４０を参照して、取得した施設ＩＤ及び店舗カテゴリ情報を満たす店舗を施設内から絞り込む。
【００６０】
例えば、店舗カテゴリ登録ＤＢ３２０の登録情報が図７のように構成され（携帯端末２００の端末ＩＤ＝１２３２２４２４に、店舗カテゴリとして、「レストラン」が対応づけされて登録されている場合）、ＲＷ−施設対応ＤＢ３３０が図８のように構成され、かつ施設情報ＤＢ３４０が図９のように構成されている場合において、非接触ＩＣチップＲＷ１０２のＩＤが１のときには、対応する施設ＩＤは１００になる（図８参照）。これにより、コンテンツ配信サーバ３００では、施設情報ＤＢを参照して、施設ＩＤ＝１００に対応する施設内の店舗について、店舗カテゴリである「レストラン」を用いて絞り込む。これにより、コンテンツ配信サーバ３００では、「レストラン」に対応する「sample1.html」をコンテンツのＵＲＬとして取得する。
【００６１】
そして、コンテンツ配信サーバ３００は、コンテンツの内容（ここでは「sample1.html」のコンテンツの内容）を携帯端末２００に表示可能な形式に変換して、携帯端末２００に配信する。これにより、携帯端末２００では、該携帯端末２００がかざされた施設における所定のカテゴリに属する店舗に関する施設情報（詳細情報）を表示部に表示する。図１６は、そのときの携帯端末２００の表示部２０６への表示例を示す。この表示例は、店舗カテゴリ情報が「レストラン」として登録されている場合に、「○○○デパート」に対応する表示（施設情報出力ＲＷ１０２）に携帯端末２００がかざされた場合の表示例となる。
【００６２】
すなわち、図１３に示すように、ユーザがポスター１００上の「店舗カテゴリ登録」の表示部分１０５に携帯端末２００を近づけることで（同図中矢示Ｂ１の動作）、携帯端末２００の表示部には、店舗カテゴリ登録画面が表示され、ユーザがこの店舗カテゴリ登録画面上で店舗カテゴリを登録すると、その店舗カテゴリ情報がコンテンツ配信サーバ３００に送信される（同図中矢示Ｂ２の流れ）。
【００６３】
そして、その後、ユーザがポスター１００上の施設の表示部分１０４に携帯端末２００を近づけると（同図中矢示Ａ１の動作）、コンテンツ配信サーバ３００から携帯端末２００にその施設内の、前記登録した店舗カテゴリ情報により絞られた店舗に関する施設情報からなるコンテンツが配信され、携帯端末２００にコンテンツが表示される（同図中矢示Ａ２の流れ）。
【００６４】
（作用及び効果）
作用及び効果は次のようになる。
前述のように、コンテンツ配信サーバ３００に店舗カテゴリ情報を予め登録しておくことで、店舗カテゴリ情報に基づいて施設内の店舗について絞り込むことができ、ポスター１００上の施設の表示部分に携帯端末２００を近づけ際に、その絞り込んだ店舗について情報を携帯端末２００に表示することができる。これにより、ユーザに提供する情報が多くなってしまうのを防止できる。
【００６５】
また、ユーザが携帯端末２００により店舗カテゴリ情報を登録できるようにすることで、店舗カテゴリをユーザの好みに合致させることができ、これより、ユーザの好みに合致させて施設内の店舗について絞り込むことができ、ポスター１００上の施設の表示部分に近づけた際に携帯端末２００に表示する店舗の情報は、ユーザの好みのものになる。
【００６６】
なお、前記実施形態では、携帯端末を掲示物に近づけた場合に、前記携帯端末に前記掲示物の掲示内容に関連する情報を外部出力させる情報提供システムを実現しており、ＲＷコントローラ１１０は、前記掲示物に近づいた携帯端末を検出する検出手段及び前記検出手段が検出した携帯端末が保持している端末識別情報を送信する送信手段を実現しており、コンテンツ配信サーバ３００は、前記送信手段が送信した端末識別情報を受信した場合、該端末識別情報に対応付けて予め登録されているカテゴリ情報に基づいて、該カテゴリに属する情報を、前記掲示物の掲示内容に関連する種々の情報から選択する情報選択手段及び前記情報選択手段が選択した情報を前記携帯端末に送信する送信手段を備える情報管理サーバを実現しており、前記携帯端末が、前記情報管理サーバから送信されてくる情報を外部出力することを実現している。
【００６７】
また、前記実施形態において、ＲＷ−施設対応ＤＢ３３０は、前記非接触ＩＣチップリーダライタのリーダライタ識別情報と、該非接触ＩＣチップリーダライタが対応付けされている施設内の複数の店舗に関する情報とが対応付けて登録されるリーダライタ識別情報登録データベースを実現している。
また、前記実施形態において、店舗カテゴリ登録ＤＢ３２０は、前記携帯端末が送信したカテゴリ情報と端末識別情報とが対応付けて登録される端末識別情報登録データベースを実現している。
【００６８】
また、前記実施形態では、前記掲示物に近づけた携帯端末を携帯端末間通信装置が検出したことに対応して、前記携帯端末において外部出力するための前記掲示物の掲示内容に関連する情報を前記携帯端末に送信する情報管理サーバを実現しており、携帯端末間通信装置１０１は、検出した携帯端末の端末識別情報を送信する携帯端末間通信装置を実現しており、コンテンツ取得要求受信部３０２及び端末ＩＤ取得部３０４は、前記携帯端末間通信装置が送信した前記端末識別情報を受信する受信手段を実現しており、ユーザ指定店舗カテゴリ取得部３０８、施設情報取得部３１０、店舗カテゴリ登録ＤＢ３２０、ＲＷ−施設対応ＤＢ３３０及び施設情報ＤＢ３４０は、前記受信手段が受信した前記端末識別情報に対応付けて予め登録されているカテゴリ情報に基づいて、該カテゴリに属する情報を、前記掲示物の掲示内容に関連する種々の情報から選択する情報選択手段を実現している。
【００６９】
また、前記実施形態において、ＲＷ−施設対応ＤＢ３３０は、非接触ＩＣチップリーダライタのリーダライタ識別情報と、該非接触ＩＣチップリーダライタが対応付けされている施設の識別情報とが対応付けて登録される第１登録データベースを実現しており、施設情報ＤＢ３４０は、前記第１データベースに登録されている施設の識別情報と、該施設内においてカテゴリ分けされた複数の店舗に関する情報とが対応付けて登録される第２登録データベースを実現している。
【００７０】
また、前記実施形態において、店舗カテゴリ登録ＲＷ１０３は、複数の非接触ＩＣチップリーダライタのうちの一のものであり、カテゴリ登録用の非接触ＩＣチップリーダライタを実現しており、施設情報出力ＲＷ１０２は、複数の非接触ＩＣチップリーダライタでそれ以外の非接触ＩＣチップリーダライタであり、施設情報提供用の非接触ＩＣチップリーダライタを実現しており、ＲＷコントローラ１１０は、前記複数の非接触ＩＣチップリーダライタのうちの何れかの非接触ＩＣチップリーダライタが非接触ＩＣチップ搭載の携帯端末との間で通信を確立した場合に、通信を確立した非接触ＩＣチップリーダライタのリーダライタ識別情報及び前記携帯端末の端末識別情報を検出して、検出したリーダライタ識別情報及び端末識別情報を対として送信するリーダライタ制御手段を実現している。
【図面の簡単な説明】
【００７１】
【図１】本発明の実施形態の情報提供システムの構成を示す図である。
【図２】情報提供システムのＲＷコントローラの構成例を示す図である。
【図３】ＲＷコントローラの処理手順を示すフローチャートである。
【図４】情報提供システムにおける携帯端末の構成例を示す図である。
【図５】携帯端末の処理手順を示すフローチャートである。
【図６】情報提供システムのコンテンツ配信サーバの構成例を示す図である。
【図７】コンテンツ配信サーバの店舗カテゴリ登録ＤＢの構成例を示す図である。
【図８】コンテンツ配信サーバのＲＷ−施設対応ＤＢの構成例を示す図である。
【図９】コンテンツ配信サーバの施設コンテンツＤＢの構成例を示す図である。
【図１０】コンテンツ配信サーバの処理手順を示すフローチャートである。
【図１１】ポスター上の施設の表示部分に携帯端末を近づけたときの該携帯端末の表示部への表示例を示す図である。
【図１２】ポスター上の施設の表示部分に携帯端末を近づけたときの該携帯端末の表示部への施設に関するコンテンツの表示例を示す図である。
【図１３】ユーザがポスターに携帯端末を近づけたときの情報提供システムの処理概要の説明に使用した図である。
【図１４】ポスター上の「店舗カテゴリ登録」の表示例を示す図である。
【図１５】ポスター上の「店舗カテゴリ登録」の表示部分に携帯端末を近づけたときの該携帯端末の表示部への表示例（店舗カテゴリ登録画面）を示す図である。
【図１６】ポスター上の「店舗カテゴリ登録」の表示部分に携帯端末を近づけたときの該携帯端末の表示部への施設に関するコンテンツの表示例を示す図である。
【符号の説明】
【００７２】
１００  ポスター、１０１  携帯端末間通信装置、１０２  非接触ＩＣチップＲＷ（施設情報出力ＲＷ）、１０３  非接触ＩＣチップＲＷ（店舗カテゴリ登録ＲＷ）、１１０  ＲＷコントローラ、１１１  端末ＩＤ読取部、１１２  ＲＷ−ＩＤ取得部、１１４  コンテンツＵＲＬ作成部、１１５  コンテンツＵＲＬ送信部、２００  携帯端末、２０１  端末ＩＤ格納部、２０２  データ送受信部、２０３  コンテンツ取得部、２０４  コンテンツ表示部、２０５  店舗カテゴリ登録部、３００  コンテンツ配信サーバ、３０１  ユーザ要求店舗カテゴリ取得部、３０２  コンテンツ取得要求受信部、３０３  ユーザ指定ＲＷ−ＩＤ取得部、３０４  端末ＩＤ取得部、３０５  コンテンツ作成部、３０６  コンテンツ送信部、３０７  店舗カテゴリ登録部、３０８  ユーザ指定店舗カテゴリ取得部、３０９  ユーザ指定施設取得部、３１０  施設情報取得部、３２０  店舗カテゴリ登録ＤＢ、３３０  ＲＷ−施設対応ＤＢ、３４０  施設情報ＤＢ
【図１】
2008083935.tif 000003
【図２】
2008083935.tif 000004
【図３】
2008083935.tif 000005
【図４】
2008083935.tif 000006
【図５】
2008083935.tif 000007
【図６】
2008083935.tif 000008
【図７】
2008083935.tif 000009
【図８】
2008083935.tif 000010
【図９】
2008083935.tif 000011
【図１０】
2008083935.tif 000012
【図１１】
2008083935.tif 000013
【図１２】
2008083935.tif 000014
【図１３】
2008083935.tif 000015
【図１４】
2008083935.tif 000016
【図１５】
2008083935.tif 000017
【図１６】
2008083935.tif 000018